(57)【特許請求の範囲】
【請求項１】
所定方向に走行自在な引戸と、
前記引戸を閉方向に付勢する引戸付勢手段と、
引戸の走行方向に延びる走行方向延設体に接触する接触体を有し、引戸が開方向から閉方向に切り換わって移動しようとする際に姿勢が切り換わって引戸を任意位置で停止させるように力を与える任意位置停止機構と、
この任意位置停止機構により前記引戸が停止されようとした位置から閉方向に移動することを一時的に制動して、前記引戸を開状態に一時的に保持する制動保持機構と、
前記任意位置停止機構と前記制動保持機構とを連動させる連動手段と、
を備えたことを特徴とする引戸装置。
【請求項２】
前記連動手段は、前記任意位置停止機構の引戸が開方向に移動された際の動きを前記制動保持機構に伝達するとともに、前記任意位置停止機構の引戸が開けられて停止された状態から、引戸が閉方向に移動することに伴う動きを前記制動保持機構に伝達し、
前記制動保持機構は、前記任意位置停止機構の引戸が開けられて停止された状態から、引戸が閉方向に移動する際に伴う動きを制動する
ことを特徴とする請求項１に記載の引戸装置。
【請求項３】
前記任意位置停止機構の接触体が接触する前記走行方向延設体が、前記引戸に取り付けられた車輪が走行するレール部であることを特徴とする請求項１または２に記載の引戸装置。
【請求項４】
前記任意位置停止機構は、前記接触体を揺動自在に支持する揺動支持アームを有し、
前記制動保持機構は、回動部材と、この回動部材の回転が伝達されて制動する制動装置と、を有し、
前記揺動支持アームと前記回動部材とが前記連動手段を介して係合されていることを特徴とする請求項１〜３の何れか１項に記載の引戸装置。
【請求項５】
前記連動手段を介して前記揺動支持アームと前記回動部材との係合位置が調整自在に構成されていることを特徴とする請求項４に記載の引戸装置。
【請求項６】
前記接触体を前記走行方向延設体から離反した状態に切り換える接触体切換機構を備えたことを特徴とする請求項１〜５の何れか１項に記載の引戸装置。
【請求項７】
前記引戸が開けられる際に前記任意位置停止機構に当接する当接部を設け、
前記制動保持機構に停止状態解除用付勢手段を設け、
前記任意位置停止機構が前記当接部に当接することで、前記停止状態解除用付勢手段によって、前記任意位置停止機構が、引戸の停止状態から閉方向に移動する際の姿勢に切り換える力を蓄えるように構成したことを特徴とする請求項１〜６の何れか１項に記載の引戸装置。
【請求項８】
前記当接部を前記任意位置停止機構に当接しない位置に切り換える当接部切換機構を備えたことを特徴とする請求項７に記載の引戸装置。
【発明の詳細な説明】
【技術分野】
【０００１】
本発明は自閉式の引戸が設けられている引戸装置に関する。
【背景技術】
【０００２】
閉動作が自動的に行われる引戸を備えたいわゆる自閉式の引戸装置は既に広く知られている。この種の引戸装置としては、引戸の上辺部などに取り付けた車輪を、閉方向側が下方になるように傾斜させたレール部上に転動自在に載置して、引戸の自重に基づく付勢力により自動的に閉止させる構造が知られている。また、閉止方向に付勢するぜんまいばねやコイルばねを設けて、この付勢力により自動的に閉止させるように構成したものや、ウェイトを設けてこのウェイトの重量による付勢力により引戸を閉止方向に引っ張る構造も知られている。
【０００３】
このような自閉式の引戸装置においては、引戸を開けた後には、人が閉じる動作を行わなくても、自動的に閉じられるため、人が閉動作を行わなくても済んで便利である。しかし、引戸を開けた際に引戸から手を放すと、すぐに閉方向に移動開始するため、引戸によって開けられた開口部を通過する際に時間がかかる人や、車椅子搭乗者などにとっては、通過するまで閉動作を続けなければならない短所がある。
【０００４】
このような短所を改善するものとして、特許文献１や特許文献２に開示された引戸装置がある。
特許文献１に開示された引戸装置では、引戸の上辺部に取り付けた車輪が、閉方向側が下方になるように傾斜させた傾斜フレームのレール部上に転動自在に載置されている。また、引戸の戸尻側上辺部の上方箇所には、引戸の閉動作時に制動するオイルダンパーからなる制動手段が取り付けられ、この制動手段にはピニオンギヤ（歯車）が取り付けられている。さらに、傾斜フレームの戸尻側箇所に、開放制動用ラックが取り付けられており、引戸が全開状態に近い位置から閉じられる際に制動されて、引戸の閉動作がゆっくり行われる。
【０００５】
この構成によれば、引戸が全開状態に近い位置まで開けられた際（具体的には、ピニオンギヤが開放制動用ラックに噛み合う位置まで引戸が開けられた際）には、引戸から手を放した場合でも、引戸がすぐには閉方向に移動されない。すなわち、引戸は一時的に開けられた状態を保持した後に、自閉動作が行われるため、引戸によって開けられた開口部を通過する際に時間がかかる人や、車椅子搭乗者などにとっても、引戸がぶつかり難くなって、便利である。
【０００６】
また、特許文献２に開示された引戸装置では、閉止方向に傾斜したレール部の戸尻側延長部に、オイルダンパーに噛み合う歯車とこの歯車に取り付けられた溝部を有するキャッチャーとからなる補足機構を配設し、また、引戸の戸尻側上辺部の上方箇所に、前記キャッチャーの溝部に挿入離脱可能な係合部材を取り付けている。そして、この構成により、引戸が全開状態に近い位置まで開けられた際（具体的には、係合部材が補足機構に係合した際）に制動されるようになっている。
【０００７】
この構成によっても、引戸が全開状態に近い位置まで開けられた際には、引戸から手を放した場合でも、引戸がすぐには閉方向に移動されないため、引戸によって開けられた開口部を通過する際に時間がかかる人や、車椅子搭乗者などにとっても、引戸がぶつかり難くなって、便利である。
【０００８】
すなわち、上記の特許文献１や特許文献２の何れにおいても、引戸を開状態に一時的に保持する制動保持機能を有している構造である。しかしながら、これらの引用文献１、２の構造では、引戸を全開状態に近い位置まで開かないと、閉動作時の制動機能が働かないという難点がある。すなわち、引戸を全開状態に達しない中途位置まで開いた状態では、手を放すとすぐに自閉動作が開始されてしまい、この場合には、引戸によって開けられた開口部を通過する際に時間がかかる人や、車椅子搭乗者などにとっては、不便である。
【０００９】
なお、特許文献１の構成において、開放制動用ラックを傾斜フレームの戸尻側箇所だけでなく、開閉方向の中途位置まで長尺に形成することが考えられ、この場合には、引戸を中途位置まで開けた場合でも、閉動作がゆっくり行われることとなる。しかし、この構成では、引戸を全開位置まで開けると、引戸が全開位置から中途位置まで長い距離にわたって制動されて、引戸が閉じられるまでに長時間かかってしまうという難点を生じてしまう。
【００１０】
一方、特許文献３、４等には、いわゆるフリーストップ機構とも称せられる任意位置停止機構を備えた引戸装置が開示されている。これらの引戸装置は、レール部に接触する接触手段や押圧手段を有して、自閉式の引戸を開けた際に手を放して引戸の移動方向が開方向から閉方向に切り換わる際に、前記接触手段や押圧手段がレール部に接触して突っ張った姿勢となり、任意の位置で、引戸が閉じられることを阻止して停止する構成とされている。このような構成の引戸装置では、任意位置で、引戸を開けた位置で停止できる利点がある。しかし、このような構成の引戸装置では、一旦停止された引戸を閉じる際に、その後、引戸を閉じる動作を別途に行わなくてはならず、手間がかかる短所がある。
【先行技術文献】
【特許文献】
【００１１】
【特許文献１】特開２００２−７０４１２号公報
【特許文献２】特開平１１−２００７０１号公報
【特許文献３】特開平８−４２２３０号公報
【特許文献４】特開２００２−３２２８５２号公報
【発明の概要】
【発明が解決しようとする課題】
【００１２】
上述したように、前記特許文献１、２の構成では、引戸を全開状態に近い位置まで開かないと、閉動作時の制動機能が働かないので、引戸を全開状態に達しない中途位置まで開いた状態では、手を放すとすぐに閉動作が開始されてしまい、不便である。
【００１３】
一方で、前記特許文献３、４の構成では、任意の位置で引戸を開けた状態に保持できるが、この引戸を閉じる際にはあらためて閉じる操作を行わなければならないため、手間がかかる。
【００１４】
本発明は、上記課題を解決するもので、引戸の開けた位置にかかわりなく、閉動作時の制動機能が働き、しかも、その後は、閉じる操作を行わなくても自動的に閉じられる引戸装置を提供することを目的とするものである。
【課題を解決するための手段】
【００１５】
上記課題を解決するために本発明の引戸装置は、所定方向に走行自在な引戸と、前記引戸を閉方向に付勢する引戸付勢手段と、引戸の走行方向に延びる走行方向延設体に接触する接触体を有し、引戸が開方向から閉方向に切り換わって移動しようとする際に姿勢が切り換わって引戸を任意位置で停止させるように力を与える任意位置停止機構と、この任意位置停止機構により前記引戸が停止されようとした位置から閉方向に移動することを一時的に制動して、前記引戸を開状態に一時的に保持する制動保持機構と、前記任意位置停止機構と前記制動保持機構とを連動させる連動手段と、を備えたことを特徴とする。
【００１６】
また、前記連動手段は、前記任意位置停止機構の引戸が開方向に移動された際の動きを前記制動保持機構に伝達するとともに、前記任意位置停止機構の引戸が開けられて停止された状態から、引戸が閉方向に移動することに伴う動きを前記制動保持機構に伝達し、前記制動保持機構は、前記任意位置停止機構の引戸が開けられて停止された状態から、引戸が閉方向に移動する際に伴う動きを制動することが好ましい。
【００１７】
上記構成により、引戸を開けた後に手を放すと、任意位置停止機構により、引戸を任意位置で停止させるように力が与えられるとともに、連動手段により制動保持機構が連動されて、引戸が閉方向に移動することを一時的に制動されて、引戸が開状態に一時的に保持され、この後に制動動作が解除されて自動的に引戸が閉じられる。これにより、引戸の開けた位置にかかわりなく、任意の位置で一時的に停止され、その後、引戸は、閉じる操作を行わなくても自動的に閉じられることとなる。
【００１８】
また、前記任意位置停止機構の接触体が接触する前記走行方向延設体が、前記引戸に取り付けられた車輪が走行するレール部であると好ましく、この構成によれば、レール部とは別途に走行方向延設体を設けなくても済む。
【００１９】
また、前記任意位置停止機構は、前記接触体を揺動自在に支持する揺動支持アームを有し、前記制動保持機構は、回動部材と、この回動部材の回転が伝達されて制動する制動装置と、を有し、前記揺動支持アームと前記回動部材とが前記連動手段を介して係合されていると好適である。
【００２０】
また、前記連動手段を介して前記揺動支持アームと前記回動部材との係合位置を調整自在に構成してもよい。この場合には、前記係合位置を調整することで、引戸を開けた状態で停止させる時間を調整できる。
【００２１】
また、前記接触体を前記走行方向延設体から離反した状態に切り換える接触体切換機構を備えてもよい。この構成によれば、前記接触体を前記走行方向延設体から離反した状態に切り換えて、引戸が開状態で一時的に停止する機能が発揮されないように切り換えることが可能となる。
【００２２】
また、前記引戸が開けられる際に前記任意位置停止機構に当接する当接部を設け、前記制動保持機構に停止状態解除用付勢手段を設け、前記任意位置停止機構が前記当接部に当接することで、前記停止状態解除用付勢手段によって、前記任意位置停止機構が、引戸の停止状態から閉方向に移動する際の姿勢に切り換える力を蓄えるように構成してもよい。この構成によれば、引戸の停止状態から閉方向に移動する際の姿勢への切り換え動作がより良好に行われる。なお、この場合に、前記当接部を前記任意位置停止機構に当接しない位置に切り換える当接部切換機構を備えてもよい。
【発明の効果】
【００２３】
本発明によれば、引戸の走行方向に延びる走行方向延設体に接触する接触体を有し、引戸が開方向から閉方向に切り換わって移動しようとする際に姿勢が切り換わって引戸を任意位置で停止させるように力を与える任意位置停止機構と、この任意位置停止機構により前記引戸が停止されようとした位置から閉方向に移動することを一時的に制動して、前記引戸を開状態に一時的に保持する制動保持機構と、前記任意位置停止機構と前記制動保持機構とを連動させる連動手段と、を備えることにより、引戸が、その開けた位置にかかわりなく任意の位置で一時的に停止され、その後、閉じる操作を行わなくても自動的に閉じられることになるので、引戸によって開けられた開口部を通過する際に時間がかかる人や、車椅子搭乗者などにとっても、引戸がぶつかり難くなって、便利であるとともに安全性が向上する。また、引戸を閉じる動作を別途に行わなくても済むため、これによっても手間を省くことができて便利である。
【００２４】
また、前記任意位置停止機構の接触体が接触する前記走行方向延設体として、前記引戸に取り付けられた車輪が走行するレール部を用いると、レール部とは別途に走行方向延設体を設けなくても済むので、レール部とは別途に走行方向延設体を設けた場合と比較して製造コストを低減できる。
【００２５】
また、前記任意位置停止機構が、接触体を揺動自在に支持する揺動支持アームを有し、前記制動保持機構が、回動部材と、この回動部材の回転が伝達されて制動する制動装置と、を有し、前記揺動支持アームと前記回動部材とが前記連動手段を介して係合されている構成とすると、当該引戸装置を比較的簡単で、安価に製造可能となる。
【００２６】
また、前記連動手段を介して前記揺動支持アームと前記回動部材との係合位置を調整自在に構成することで、比較的簡単な構造で、引戸を開けた状態で停止させる時間を調整できる。
【００２７】
また、前記引戸が開けられる際に前記任意位置停止機構に当接する当接部を設け、前記制動保持機構に停止状態解除用付勢手段を設け、任意位置停止機構が前記当接部に当接することで、停止状態解除用付勢手段によって、任意位置停止機構が、引戸の停止状態から閉方向に移動する際の姿勢に切り換える力を蓄えるように構成すると、引戸の停止状態から閉方向に移動する際の姿勢への切り換え動作がより良好に行われ、ひいては引戸装置としての信頼性が向上する。
【００２８】
また、前記接触体を前記走行方向延設体から離反した状態に切り換える接触体切換機構や、前記当接部を前記任意位置停止機構に当接しない位置に切り換える当接部切換機構を備えることにより、引戸が開状態で一時的に停止する機能が発揮されないように切り換えることが可能となり、利便性がさらに向上する。
【図面の簡単な説明】
【００２９】
【図１】本発明の実施の形態に係る引戸装置の正面図である。
【図２】（ａ）および（ｂ）は同引戸装置の要部平面図および要部正面図である。
【図３】同引戸装置の要部正面図で、引戸が全閉状態である場合を示している。
【図４】（ａ）〜（ｃ）は同引戸装置の任意位置停止機構の正面図、平面図および側面図である。
【図５】同引戸装置の要部正面図で、接触体切換機構により接触体をレール部から離反した状態に切り換えた状態や当接部切換機構により当接部を任意位置停止機構に当接しない位置に切り換えた状態を示している。
【図６】同引戸装置の要部正面図で、引戸が全閉状態である場合を示している。
【図７】同引戸装置の要部正面図で、引戸を開けた状態を示している。
【図８】同引戸装置の要部正面図で、引戸を開け終わった状態（引戸から手を放した状態）を示している。
【図９】同引戸装置の要部正面図で、引戸が停止している状態を示している。
【図１０】同引戸装置の要部正面図で、引戸が閉じ終わろうとしている状態を示している。
【発明を実施するための形態】
【００３０】
以下、本発明の実施の形態に係る引戸装置を図面に基づき説明する。
図１などにおいて、１は上吊り方式の引戸、２、３、４は所定位置に固定されている上枠、戸先側竪枠および戸尻側竪枠である。図外の下方箇所には下枠が設けられており、引戸１により、開口部（上枠２、戸先側竪枠３、戸袋５、および下枠から形成される）６を開閉自在とされている。
【００３１】
引戸１の上縁部の戸先寄り箇所および戸尻寄り箇所には、上方に延設された走行用ブラケット７、８を介して車輪９、１０が転動自在に軸支されている。また、上枠２には、戸先側が少し下方に傾斜する姿勢で断面略Ｌ字状の傾斜フレーム１１が固定され、この傾斜フレーム１１に形成されたレール部１１ａ上に車輪９、１０が転動自在（回転自在）に載置されている。したがって、傾斜されたレール部１１ａ上を車輪９、１０が引戸１の自重で戸先側に移動することにより、引戸１の閉動作が自動的に行われる引戸付勢手段を備えた構成とされている。
【００３２】
まず、本発明の主要構成を述べると、図１、図２などに示すように、引戸１の戸先寄り箇所に取り付けられたブラケット（戸先寄りブラケットとも称す）７には、引戸１の走行方向に延びる走行方向延設体の１例としてのレール部１１ａに接触する接触体２１を有し、引戸１が開方向から閉方向に切り換わって移動しようとする際に姿勢が切り換わって引戸１を任意位置で停止させるように力を与える任意位置停止機構２０と、この任意位置停止機構２０により引戸１が停止されようとした位置から閉方向に移動することを一時的に制動して、引戸１を開状態に一時的に保持する制動保持機構３０と、任意位置停止機構２０と制動保持機構３０とを連動させる連動手段４０と、が取り付けられている。そして、これらの任意位置停止機構２０、制動保持機構３０および連動手段４０などにより、引戸１を開いた状態で手を放すと、任意の位置において開状態で一時的に停止できるよう構成されている。
【００３３】
各機構などについて、以下に詳しく説明する。
図２〜図４などに示すように、任意位置停止機構２０は、接触体２１をレール部１１ａに接触可能な姿勢で揺動自在に支持する揺動支持アーム２２を有する。揺動支持アーム２２は、図４に示すように、奥行方向に屈曲する２箇所の段付き部２２ａ、２２ｂを有し、図２（ｂ）などに示すように、傾斜した状態で左右に延びる形状とされ、例えば、金属板などにより形成されている。揺動支持アーム２２の中央部には、戸先寄りブラケット７の戸先側端部に手前側（図２（ａ）における紙面の下方側）に突出する姿勢で固定されたアーム回転軸２３が回動自在に挿入されており、このアーム回転軸２３を中心として、揺動支持アーム２２は、戸先側端部と戸尻側端部とがそれぞれ略上下方向に揺動可能（詳しくは、支持アーム２２が配設されている鉛直面内で揺動可能）に支持されている。
【００３４】
揺動支持アーム２２の戸先側端部２２ｃ（図４参照）には、接触体２１を回転自在な状態で取り付けた接触体回転軸２４が手前側に突出する姿勢で取り付けられている。接触体２１は、正面視略卵形状とされているとともに幅方向中心部において上下に延びる長孔が形成されているゴム材などの弾性材からなる接触本体部２１ａと、この接触本体部２１ａの長孔に挿入されて、接触本体部２１ａを略下方に付勢するコイルスプリングからなる接触体付勢ばね２１ｂと、接触本体部２１ａの下部に取付軸２１ｄを介して取り付けられた重り２１ｃとからなる。そして、接触体２１は、接触体回転軸２４を中心として回動自在、かつ、接触体付勢ばね２１ｂの付勢力に抗して長孔の長さ方向に移動可能な状態で取り付けられている。接触体２１の接触本体部２１ａにおける下面は、重り２１ｃよりも少し外径側に突出して露出する状態とされているとともに摩擦力を増加する細かな凹凸部などが形成され、レール部１１ａに良好に接触するよう構成されている。
【００３５】
揺動支持アーム２２の戸先側端部２２ｃよりも少し戸尻寄り箇所には、図５に示すように、接触体２１をａ方向に回動させることで、接触体２１がレール部１１ａに接触しない状態で係止できる接触体係止ピン２６が突設されており、この接触体係止ピン２６と接触体２１を回転自在に支持する接触体回転軸２４とにより、接触体２１を走行方向延設体としてのレール部１１ａから離反状態に切り換える接触体切換機構を構成している。
【００３６】
揺動支持アーム２２の戸尻側端部には、連動手段４０の一部をなす、連動ピン４１が後方（奥側）に延びるように突設された連動板４２を取り付けるための取付板部２２ｄが形成されている。なお、図４における４３、４４は、連動板４２を取り付けるために、揺動支持アーム２２の取付板部２２ｄを挟持するための連動挟持板、挟持ねじである。揺動支持アーム２２の取付板部２２ｄには、前記連動ピン４１を挿通させるためのピン挿通孔２２ｅが形成されているが、このピン挿通孔２２ｅは、揺動支持アーム２２の長手方向に長い長孔形状とされ、位置連動ピン４１の位置（連動板４２の装着位置）を揺動支持アーム２２の長手方向に調整可能とされている。
【００３７】
図３などに示すように、制動保持機構３０は、扇形の歯部３１ａを有する回動部材３１と、この回動部材３１の回転が伝達されて制動する制動装置の１例としての粘性ダンパー（この実施の形態ではオイルダンパー）３２となどから構成されている。回動部材３１は、戸先寄りブラケット７の中央部から手前側に立設された回動部材支持軸３３により、鉛直面内で回動可能に取り付けられ、歯部３１ａとは逆側（回動部材３１の戸先側）に、連動ピン４１が挿通して係合する溝部４５が形成されている。そして、揺動支持アーム２２に取り付けられた連動板４２の連動ピン４１が回動部材３１の溝部４５に係合することにより、任意位置停止機構２０と制動保持機構３０とが連動されるよう構成されている。すなわち、この実施の形態では、連動ピン４１と回動部材３１の溝部４５とにより、任意位置停止機構２０と制動保持機構３０と任意位置停止機構２０と制動保持機構３０とを連動させる連動手段が構成されている。
【００３８】
また、回動部材支持軸３３には、回動部材３１が、ｂ方向に回動する方向に付勢する停止状態解除用付勢手段としての停止状態解除用付勢ばね３４が外装されている。なお、３１ｂは、回動部材３１に形成されて、停止状態解除用付勢ばね３４の一端部に係合する係合突起であり、停止状態解除用付勢ばね３４の他端部は、戸先寄りブラケット７（または、戸先寄りブラケット７に固定された部品でもよい）に設けられた突起７ａに係止されている。粘性ダンパー３２には、回動部材３１の歯部３１ａに常時噛み合う従動歯車３２ａが取り付けられている。また、粘性ダンパー３２は、従動歯車３２ａがｃ方向に回動する（回動部材３１がｂ方向に回動する）場合のみ制動するようになっている。なお、制動保持機構３０の回動部材３１や粘性ダンパー３２を組み付ける枠体などを設けて、この枠体を介して戸先寄りブラケット７に組み付けるように構成してもよい。
【００３９】
また、図３などに示すように、この実施の形態では、引戸１が開けられる際に任意位置停止機構２０（より具体的には、任意位置停止機構２０の揺動支持アーム２２）に当接する当接部としての当接ロッド５１が設けられている。この実施の形態では、上枠２における戸先寄り箇所に取付ブラケット５２が取り付けられ、この取付ブラケット５２に形成された枢支軸５２ａを中心として、当接部としての当接ロッド５１が設けられている当接部支持板５３が回転自在に取り付けられている。また、取付ブラケット５２には、規制突起５２ｂも設けられており、当接部支持板５３の下端部には、規制突起５２ｂに戸先側から当接可能とされた規制受部５３ａ（図５、図６、図７参照）が形成され、引戸１が全閉状態から開けられた際に、当接ロッド５１が任意位置停止機構２０の揺動支持アーム２２に当接して、接触体２１が取り付けられている揺動支持アーム２２の戸先側部分が、接触体２１がレール部１１ａに十分接することができる位置まで、下方に揺動されるようになっている。
【００４０】
なお、引戸１が全閉状態に近い位置まで閉じられる際には、当接ロッド５１が揺動支持アーム２２の戸先側端部２２ｃに当接するが、この方向には当接ロッド５１が回動自在（規制突起５２ｂに当接されずに、規制されない状態）とされているため、当接ロッド５１が当接部支持板５３ごと上方に退避するように回動し、揺動支持アーム２２は、殆ど揺動しない。
【００４１】
また、揺動支持アーム２２の戸先側部の一部には、当接部としての当接ロッド５１が揺動支持アーム２２に当接しない位置に維持する退避姿勢保持用突起（この実施の形態ではねじの頭部）５４が設けられ、図５に示すように、当接ロッド５１をｄ方向に回動させて、退避姿勢保持用突起５４に係止可能とされている。すなわち、この実施の形態では、退避姿勢保持用突起５４と、当接ロッド５１を回転自在に支持する枢支軸５２ａとにより、当接部としての当接ロッド５１を任意位置停止機構２０に当接しない位置に切り換える当接部切換機構を構成している。
【００４２】
さらに、この実施の形態では、引戸１が、全閉状態まで閉じられる際に制動するとともに、全開状態近くまで開けられた際にも制動する補助制動装置６０も設けられている。この補助制動装置６０は、特許公報２７３０８７１号に開示されている制動設備と同じ構造であり、詳しい説明は省くが、戸先寄りブラケット７の戸尻寄り箇所に取り付けられた油圧式ダンパーからなる制動装置本体６１およびこの制動装置本体６１に取り付けられた歯車（ピニオン）６２と、傾斜フレーム１１における戸先側部分におけるレール部１１ａ近傍箇所に取り付けられた閉制動用ラック６３と、傾斜フレーム１１における戸尻側部分におけるレール部１１ａ近傍箇所に上方から臨むように取り付けられた開制動用のラック６４とを備えている。そして、引戸１が全閉状態まで閉じられる際に歯車（ピニオン）６２が閉制動用のラック６３に噛み合って制動し、引戸１が戸先側竪枠３に強く当たることが防止されているとともに、引戸１が全開状態まで開けられる際には歯車（ピニオン）６２が開制動用のラック６４に噛み合って制動し、引戸１が戸尻側竪枠４に強く当たることが防止されている。
【００４３】
また、この実施の形態では、引戸１を全開状態に維持するための全開保持用ストッパー７０が設けられており、引戸１を全開状態にした際には、引戸１の戸尻寄り箇所に取り付けられたブラケット（戸尻寄りブラケットとも称す）８に取り付けられた係合体７１が嵌りこんで、引戸１を全開状態に維持するよう構成されている。ただし、補助制動装置６０や全開保持用ストッパー７０などは本発明には実質的に直接関連するものではないため、設けなくても差支えない。
【００４４】
上記構成において、引戸１が全閉状態である際には、図３、図６などに示すように、任意位置停止機構２０の揺動支持アーム２２は、戸先側が比較的大きく上方に傾斜し、接触体２１は重り２１ｃによりその中心線Ｘが鉛直となった姿勢となっている。なお、車輪９、１０が走行するレール部１１ａは、この状態での接触体２１が位置する箇所には設けられておらず、これよりも戸尻側箇所しか設けられていないため、接触体２１はレール部１１ａに接触せずに宙に浮いた状態（接触体２１の重り２１ｃが下方に位置した姿勢）とされている。なお、この時点において当接ロッド５１は、揺動支持アーム２２に接触していても、接触していなくてもよく、この状態では、殆ど揺動支持アーム２２を下方に押圧していない。
【００４５】
引戸１を全閉状態（図１〜図３参照）から開け始めると、まず、図６に示すように、揺動支持アーム２２の戸先側部分の上辺が当接ロッド５１に当接し、揺動支持アーム２２は戸先側が下方に戸尻側が上方となるように揺動する。そして、レール部１１ａがある箇所まで接触体２１が移動すると、図７に示すように、接触体２１の下部戸尻側部分が、引戸１の開動作に伴ってレール部１１ａから相対的に戸先側に向かう方向に力を受けながら移動するため、接触体２１は、下部の接触部分が戸先側に傾斜した姿勢となっている。
【００４６】
また、揺動支持アーム２２のｅ方向への揺動動作に伴って、回動部材３１がｆ方向、この回動部材３１に噛み合う粘性ダンパー３２の歯車３２ａはｇ方向に回転する。なお、この際、粘性ダンパー３２は制動動作を行うことなく回転される。また、回動部材３１のｆ方向への回転に伴い、停止状態解除用付勢ばね３４が巻線方向に圧縮され、回動部材３１は停止状態解除用付勢ばね３４により反ｆ方向に付勢力を受ける（すなわち、任意位置停止機構２０の揺動支持アーム２２が当接部としての当接ロッド５１に当接することで、停止状態解除用付勢ばね３４によって、任意位置停止機構２０の揺動支持アーム２２が、後述するような引戸１の停止状態から閉方向に移動する際の姿勢に切り換える力を蓄える）。
【００４７】
この後、引戸１を開けることが止められて、引戸１から手を放すなどされると、引戸１はその重量により閉方向に移動しようとし（自閉動作を行おうとし）、これに伴い、図８に示すように、接触体２１は、レール部１１ａとの接触点Ｚを中心として、その（接触体２１の）上部および接触体回転軸２４がｈ方向に回動し、揺動支持アーム２２がｉ方向に回動するように力が加えられる。また、停止状態解除用付勢ばね３４の付勢力により、回動部材３１がｊ方向（反ｆ方向）に移動しようとする。しかし、回動部材３１に歯車３２ａで噛み合う粘性ダンパー３２によりｋ方向（反ｇ方向）の回転が制動されて、引戸１は一時的に制動されて停止する。
【００４８】
この後、粘性ダンパー３２の歯車３２ａが制動動作に抗して徐々にｋ方向に回動し、これに伴い、回動部材３１がｊ方向に回動し、揺動支持アーム２２がｉ方向に回動すると、接触体２１が鉛直に近い姿勢となって、接触体２１により突っ張ることができなくなり、引戸１の閉動作に伴うレール部１１ａとの摩擦力にてさらにｈ方向に回転することで、引戸１は自閉動作を行う。
【００４９】
なお、この後、全閉状態に近づくまで引戸１が閉じられる際に、図１０に示すように、当接ロッド５１が揺動支持アーム２２の戸先側端部２２ｃに当接するが、上述したように、この方向には当接ロッド５１が回動自在（規制突起５２ｂに当接されずに、規制されない状態）とされているため、当接ロッド５１が枢支軸５２ａを中心として、当接部支持板５３ごと上方に退避するようにｍ方向に回動し、揺動支持アーム２２は、殆ど揺動しない。
【００５０】
上記構成により、引戸１を開けた後に手を放すなどすると、任意位置停止機構２０により、引戸１を任意位置で停止させるように力が与えられるとともに、連動手段４０により制動保持機構３０が連動されて、引戸１が閉方向に移動することを一時的に制動されて、引戸１が開状態に一時的に保持され、この後に制動動作が解除されて自動的に引戸が閉じられる。これにより、引戸１の開けた位置にかかわりなく、任意の位置で一時的に停止され、その後、引戸１は、閉じる操作を行わなくても自動的に閉じられることとなる。
【００５１】
したがって、引戸１によって開けられた開口部６を通過する際に時間がかかる人や、車椅子搭乗者などにとっても、引戸１がぶつかり難くなって、便利であるとともに安全性が向上する。また、引戸１を閉じる動作を別途に行わなくても済むため、これによっても手間を省くことができて便利である。
【００５２】
なお、この実施の形態においては、揺動支持アーム２２の戸尻側端部に連動板４２を取り付け、連動板４２の連動ピン４１と、回動部材３１の溝部４５とを係合させることにより、連動手段４０を構成している。そして、連動手段４０により、任意位置停止機構２０の引戸１が開方向に移動された際の動きを制動保持機構３０に伝達するとともに、任意位置停止機構２０の引戸１が開けられて停止された状態から、引戸１が閉方向に移動することに伴う動きを制動保持機構３０に伝達している。また、制動保持機構３０は、任意位置停止機構２０の引戸１が開けられて停止された状態から、引戸１が閉方向に移動する際に伴う動きを制動している。すなわち、任意位置停止機構２０と制動保持機構３０とを連動させる連動手段４０を設けることで、比較的簡単な構成（この実施の形態では任意位置停止機構２０の部材（揺動支持アーム２２）と制動保持機構３０の部材（回動部材３１）とを連動手段４０の連動ピン４１などを介して係合させて連動させる構成）で、開けた位置にかかわりなく、閉動作時の制動機能が働き、しかも、その後は、閉じる操作を行わなくても自動的に閉じられる引戸装置を実現することができる。
【００５３】
また、この実施の形態では、連動手段４０としての連動ピン４１の位置を揺動支持アーム２２のピン挿通孔２２ｅに沿って調整することで、揺動支持アーム２２側に組み付けられた連動ピン４１と回動部材３１の溝部４５に係合する位置を調整できる。これにより、（回動部材３１に作用する中心部（回動部材支持軸３３）からの寸法が変化して回動部材３１に作用する力が変わるため、制動時に粘性ダンパー３２に作用する力が変化し、その結果、比較的簡単な構造で、引戸１を開けた状態で停止させる時間を調整できる。
【００５４】
また、任意位置停止機構２０の接触体２０が接触する走行方向延設体として、引戸１に取り付けられた車輪９、１０が走行するレール部１１ａを用いることで、レール部１１ａとは別途に走行方向延設体を設けなくても済むので、レール部１１ａとは別途に走行方向延設体を設けた場合と比較して製造コストを低減できる。しかし、これに限るものではなく、傾斜フレーム１１に別途に接触体２０が接触する走行方向延設体を設けたり、上枠２に沿って別途に接触体２０が接触する走行方向延設体を設けたりしてもよい。
【００５５】
また、上記構成によれば、任意位置停止機構２０が、接触体２１を揺動自在に支持する揺動支持アーム２２を有し、制動保持機構３０が、回動部材３１と、この回動部材３１の回転が伝達されて回転する制動装置（この実施の形態では粘性ダンパー３２）と、を有し、揺動支持アーム２２と回動部材３１とを連動手段４０を介して係合されている構成としたことにより、比較的簡単な構成で当該引戸装置を実現できて、安価に製造できる利点がある。
【００５６】
しかしながら、上記実施の形態の構成に限るものではなく、引戸１を任意位置に停止させる機構と、一時的に停止させることが可能な制動保持機構を連動させるように組み合わせることで、他の構成であっても、任意の位置で一時的に停止され、その後、引戸１は、閉じる操作を行わなくても自動的に閉じられる構造を実現可能である。また、上記実施の形態では、回動部材３１が歯部３１ａを有して、制動装置としての粘性ダンパー３２に噛み合う構成の場合を述べたが、粘性ダンパー３２に対して摩擦や突起などにより係合して連動する構成でもよい。また、上記の実施の形態では、連動手段４０が、連動ピン４１を介して、連動板４１に係合して連動する場合を述べたが、連動手段としても、摩擦や連結リンク機構などを用いてもよい。また、制動装置として、オイルを用いた粘性ダンパー３２を用いる代わりに、空気を用いたダンパー（回転式や直動式）や、接触摩擦力や磁気などにより制動する構造の制動手段を用いてもよい。
【００５７】
また、上記構成においては、引戸１が開けられる際に任意位置停止機構２０の揺動支持アーム２２に当接する当接部としての当接ロッド５１を設け、制動保持機構３０に停止状態解除用付勢ばね３４を設け、任意位置停止機構２０の揺動支持アーム２２が当接ロッド５１に当接することで、停止状態解除用付勢ばね３４によって、任意位置停止機構２０が、引戸１の停止状態から閉方向に移動する際の姿勢に切り換える力を蓄えるように構成している。この構成によれば、引戸１の停止状態から閉方向に移動する際の姿勢への切り換え動作がより良好に行われ、ひいては引戸装置としての信頼性が向上する利点がある。
【００５８】
しかし、このような、当接部としての当接ロッド５１や停止状態解除用付勢ばね３４は必ずしも設けなくてもよく、例えば、引戸を閉方向に付勢する付勢手段の付勢力を大きめに設定したり、接触体２１の重りを若干軽減するなどにより、接触体２１によるレール部１１ａなどの走行方向延設体に対して接触する力（突っ張る力など）を若干少なめにしたりすることにより、引戸１の自閉する力だけで、上記のように、任意の位置で一時的に停止され、その後、引戸１は、閉じる操作を行わなくても自動的に閉じられる構造を実現可能である。
【００５９】
また、上記構成においては、接触体２１をレール部１１ａなどの走行方向延設体から離反状態に切り換える接触体切換機構や、当接部としての当接ロッド５１を任意位置停止機構２０の揺動支持アーム２２に当接しない位置に切り換える当接部切換機構を備えている。これにより、接触体２１を回動させたり、当接ロッド５１を回動させたりするだけの簡単な操作で、引戸１が開状態で一時的に停止する機能が発揮されないように切り換えることが極めて容易に行うことができて、利便性がさらに向上する。しかしながら、これらの、接触体切換機構や当接部切換機構を設けると好適であるが、設けなくてもよいことはもちろんである。
【００６０】
また、上記構成においては、引戸１が、全閉状態まで閉じられる際に制動するとともに、全開状態近くまで開けられた際にも制動する補助制動装置６０も設けられている。これにより、引戸１が全閉状態まで閉じられる際に戸先側竪枠３に強く当たることが防止されるとともに、引戸１が全開状態まで開けられる際に戸尻側竪枠４に強く当たることが防止され、極めて便利である。しかし、これに限るものではなく、補助制動装置６０を設けないことも可能である。
【００６１】
また、上記実施の形態では、引戸１の閉動作が自動的に行われる引戸付勢手段として、戸先側が少し下方に傾斜する傾斜フレーム１１のレール部１１ａ上に、引戸１に取り付けられた車輪９、１０を転動自在（回転自在）に載置することで、引戸１の自重で戸先側に付勢される場合を述べた。しかし、この構成に限るものではなく、閉止方向に付勢するぜんまいばねやコイルばねを設けて、この付勢力により自動的に閉止させるように構成したものや、ウェイトを設けてこのウェイトの重量による付勢力により引戸を閉止方向に引っ張る引戸装置にも同様に適用できることはもちろんである。
【符号の説明】
【００６２】
１      引戸
６      開口部車輪
９、１０    
１１    傾斜フレーム
１１ａ  レール部
２０    任意位置停止機構
２１    接触体
２２    揺動支持アーム
２３    アーム回転軸
２４    接触体回転軸
３０    制動保持機構
３１    回動部材
３２    粘性ダンパー（制動装置）
３３    回動部材支持軸
３４    停止状態解除用付勢ばね（停止状態解除用付勢手段）
４０    連動手段
４１    連動ピン
４２    連動板
４５    溝部
５１    当接ロッド（当接部）
５４    退避姿勢保持用突起
６０    補助制動装置
【図１】
0006366482.tif 000002
【図２】
0006366482.tif 000003
【図３】
0006366482.tif 000004
【図４】
0006366482.tif 000005
【図５】
0006366482.tif 000006
【図６】
0006366482.tif 000007
【図７】
0006366482.tif 000008
【図８】
0006366482.tif 000009
【図９】
0006366482.tif 000010
【図１０】
0006366482.tif 000011